(57)【特許請求の範囲】
【請求項１】
乗かごが昇降する昇降路と、該昇降路と建屋の階床を連通するように昇降路仕切り建屋壁に設けられた乗場出入間口部と、該乗場出入間口部を開閉する乗場ドアと三方枠とからなる乗場ドア装置と、この乗場ドア装置の階床側に設けられ火災時前記乗場出入間口部を閉鎖する防火シャッターを備えた防火シャッター装置とを備えた乗場出入間口部において、
前記乗場出入間口部に、前記防火シャッターの幅方向両側を案内する上下案内機構を前記三方枠とは独立して設け、かつ、前記上下案内機構の両側部を覆う化粧カバーを設け、この化粧カバーに、インジケーターを設けたことを特徴とするエレベーター装置。
【発明の詳細な説明】
【０００１】
【発明の属する技術分野】
本発明はエレベーター装置に係り、特に、昇降路と階床間の乗場出入間口部に防火シャッター装置を備えたエレベーター装置に関する。
【０００２】
【従来の技術】
従来、昇降路と階床との間の乗場出入間口部に防火シャッター装置を備えたエレベーター装置として、例えば、特開２００１―２７６２４３号公報、特開２００１―２７６２４４号公報が提案されている。
【０００３】
【発明が解決しようとする課題】
通常エレベーターには、特許第２５２１５７６号公報等に示すような乗場ドア近傍にインジケーターが設けられるが、上記従来技術に示すような防火シャッター装置を乗場出入口部に設けた場合には、前記防火シャッターとは関係のない位置にインジケーターを設けざるを得なかった。
【０００４】
このため、インジケーターを設ける位置は、防火シャッター装置から離れた建屋壁の一部に穴をあけて設けざるを得ず、多大の労力と費用がかかるという問題があった。また、乗場ドアから離れた位置となり、利用客が見ずらいという問題もあった。
【０００５】
本発明の目的は、労力や費用の少ない、かつ、見やすいインジケーターを備えたエレベーター装置を提供することにある。
【０００６】
【課題を解決するための手段】
上記目的を達成するために本発明は、乗かごが昇降する昇降路と、該昇降路と建屋の階床を連通するように昇降路仕切り建屋壁に設けられた乗場出入間口部と、該乗場出入間口部を開閉する乗場ドアと三方枠とからなる乗場ドア装置と、この乗場ドア装置の階床側に設けられ火災時前記乗場出入間口部を閉鎖する防火シャッターを備えた防火シャッター装置とを備えた乗場出入間口部において、前記乗場出入間口部に、前記防火シャッターの幅方向両側を案内する上下案内機構を前記三方枠とは独立して設け、かつ、前記上下案内機構の両側部を覆う化粧カバーを設け、この化粧カバーに、インジケーターを設けた構成にしてある。
【０００７】
上記構成によれば、前記防火シャッター装置の防火シャッターの両側部を覆うカバーに、インジケーターが設けられるため、壁に穴をあける必要がなく、従って、労力がかからないばかりか費用も安くなり、また、乗場ドア近辺に設けることができ、利用者が見やすいものとなる。
【０００８】
【発明の実施の形態】
以下本発明の一実施の形態を図１〜図４に基づいて説明する。
【０００９】
図１は本発明によるエレベーター装置の乗場出入間口部の一実施の形態を示す横断平面図、図２は図１の階床側から見た正面図、図３は図２のイーイ線に沿う縦断側面図、図４は本発明の他の実施形態を示すシャッター部分の平面図である。
【００１０】
建屋の一区画に、乗かご１が昇降する昇降路２が垂直に形成されており、この昇降路２と各階床３とを仕切る建屋壁Ｗに乗場出入間口部４を設けて前記昇降路２と各階床３とを連通するように構成している。
【００１１】
この乗場出入間口部４には、前記昇降路２との間を開閉する乗場ドア装置が昇降路２寄りに設けられている。この乗場ドア装置は、前記乗場出入間口部４の三方を区画する間口両側一対の縦枠６Ａ，６Ｂと、これら縦枠６Ａ，６Ｂの上端に連結された上枠７とからなる三方枠５と、この三方枠５の昇降路側を開閉する乗場ドア８Ａ，８Ｂとからなっている。この乗場ドア８Ａ，８Ｂは、乗かご１が階床３に着床したときに乗かご１のかごドア９Ａ，９Ｂと対向する位置に設置されており、図示しないドア係合装置によって乗かごドア９Ａ，９Ｂと係合して同期して開閉するように構成されている。
【００１２】
一方、前記乗場出入間口部４の階床３側寄りには、防火シャッター装置１０が設けられており、火災時に火災を検知して自動的に、あるいは防火センタからの指令により前記乗場出入間口部４を塞ぐように構成されている。
【００１３】
この防火シャッター装置１０は、垂直方向に移動する防火シャッター１１と、この防火シャッター１１の幅方向両側を案内する上下案内機構１２Ａ，１２Ｂと、前記乗場出入間口部４の上部に位置し前記防火シャッター１１を巻込んでいる巻込み機構１３と、巻込み機構１３の減速機構１４とより構成されている。前記上下案内機構１２Ａ，１２Ｂは、前記乗場出入間口部４との隙間を無くすように例えば隙間材（図示せず）を介在させて乗場出入間口部に取付けられており、また、前記巻込み機構１３は前記上下案内機構１２Ａ，１２Ｂの上端に固定された支持部材あるいは乗場出入間口部に固定された支持部材に軸支されている。
【００１４】
このほか、前記防火シャッター１１の上下案内機構１２Ａ，１２Ｂや巻込み機構１３が階床３側から目視できないように、これらを覆う化粧カバーが乗場出入間口部４の階床３側に形成されている。この化粧カバーは、前記上下案内機構１２Ａ，１２Ｂを覆う一対の化粧カバー１５Ａ、１５Ｂと、防火シャッター装置１０の巻込み機構１３を、階床側の化粧カバー１５Ａ，１５Ｂの上端部より跨って覆う化粧カバー１６とより構成され、夫々建屋壁Ｗに取付けられている。前記化粧カバー１５Ａ，１５Ｂのうち化粧かばー１５Ａには、上昇、下降の呼び釦を備えたインジケーター１７が設けられている。また、化粧カバー１６には乗かご１の動作方向と位置を示すインジケーター１８が設けられている。
【００１５】
このように、インジケーター１７、１８が、化粧カバー１５Ａ、１６に設けられているため、建屋壁Ｗに穴を設ける必要がない。
【００１６】
なお、この実施形態では、化粧カバー１５Ａに、インジケーター１７を設けた例を示したが、図４に示すように上下案内機構２０Ａ，２０Ｂを幅広のもので構成し、この上下案内機構２０Ａ，２０Ｂのいずれか一方、この場合は、２０Ａに設けてもよい。
【００１７】
また、インジケーター１７、１８を、化粧カバー１５Ａ、１６の両方に設けた例を示したが、インジケーター１８を化粧カバー１５Ａのみに集約して設けてもよく、また、化粧カバー１５Ｂ側に設けてもよい。また、乗場のシンプルさを要求する顧客の場合、インジケーター１８を省き、到着予報装置（チャイム、音声で案内）が設けられるが、この場合、化粧カバー１５Ａ，１８のいずれに設けてもよい。
【００１８】
このように、前記防火シャッターの上面或いは両側部を覆う化粧カバー１５Ａ、１５Ｂ，１６の少なくともいずれか一方に、インジケーターが設けられるため、壁に穴をあける必要がなく、従って、労力がかからないばかりか費用も安くなり、また、乗場ドア８Ａ，８Ｂ近辺に設けることができ、利用者が見やすいものとなる。
【００１９】
【発明の効果】
このように本発明によれば、前記防火シャッターの上面或いは両側部を覆う化粧カバーの少なくともいずれか一方に、インジケーターが設けられるため、壁に穴をあける必要がなく、従って、労力がかからないばかりか費用も安くなり、また、乗場ドア近辺に設けることができ、利用者が見やすいものとなる。
【図面の簡単な説明】
【図１】本発明によるエレベーター装置の乗場出入間口部の一実施の形態を示す横断平面図である。
【図２】図１の階床側から見た正面図である。
【図３】図２のイーイ線に沿う縦断側面図である。
【図４】本発明の他の実施形態を示すシャッター部分の平面図である。
【符号の説明】
１          乗かご
２          昇降路
３          階床
４          乗場出入間口部
５          三方枠
６Ａ，６Ｂ  縦枠
８Ａ，８Ｂ  乗場ドア
１０        防火シャッター装置
１１        防火シャッター
１２Ａ，１２Ｂ  上下案内機構
１３        巻込み機構
１５Ａ，１５Ｂ  化粧カバー
１６        化粧カバー
１７、１８  インジケーター
【図１】
0004022414.tif 000002
【図２】
0004022414.tif 000003
【図３】
0004022414.tif 000004
【図４】
0004022414.tif 000005